(57)【要約】【課題】従来の容器と比較して容器本体内へ容器外部の流体が流入することをより確実に防止することができる逆止弁付き容器及びその容器本体を提供する。【解決手段】容器本体１１の口部２７に、容器外部の流体が容器本体内に流入することを防止する逆止弁付き注出口を有するキャップ３１を装着し使用する逆止弁付き容器１の容器本体１１であって、容器本体１１は、容器本体１１の胴部１８が蛇腹構造となっており、該蛇腹構造の胴部１８は、弾性変形可能で形状復元性を有し、前記キャップ３１を装着し使用すると、前記形状復元性により容器本体１１内が強制的に減圧され、逆止弁が動作し容器外部の流体の逆流が容器本体１１内に流入することを防止する。【選択図】図２
2013227059.tif 000002
【特許請求の範囲】
【請求項１】
容器本体の口部に、容器外部の流体が容器本体内に流入することを防止する逆止弁付き注出口を有するキャップを装着し使用する逆止弁付き容器の容器本体であって、
容器本体は、容器本体の全部又は一部が弾性変形可能で形状復元性を有し、
前記キャップを装着し使用すると、前記形状復元性により容器本体内が強制的に減圧され、逆止弁が動作し容器外部の流体が容器本体内に流入することを防止することを特徴とする容器本体。
【請求項２】
前記容器本体の収縮具合によらず、装着した前記キャップ及び内容物を含む容器本体の重心を通る鉛直線が容器本体の底面と交差し、前記容器本体が安定的に自立可能なことを特徴とする請求項１に記載の容器本体。
【請求項３】
前記容器本体は、反復性及び規則性を有した収縮挙動を示すことを特徴とする請求項１又は２に記載の容器本体。
【請求項４】
前記容器本体の胴部の全部又は一部が伸縮自在な蛇腹であり、外圧を加えると蛇腹が収縮し、外圧を取り除くと該蛇腹が元の形状に復帰することを特徴とする請求項１から３のいずれか１に記載の容器本体。
【請求項５】
前記容器本体が、前記容器本体の形状を決める骨格材と、該骨格材を覆う被覆材とで形成され、前記被覆材又は前記骨格材と被覆材とが弾性変形可能に構成され、前記容器本体に外圧を加えると収縮し、外圧を取り除くと元の形状に復帰することを特徴とする請求項１から３のいずれか１に記載の容器本体。
【請求項６】
前記容器本体の底面に、容器本体口部に嵌り込む凸部を有し、容器本体が完全に収縮したとき容器本体口部に前記凸部が嵌り込み、内容物を全て注出可能なことを特徴とする請求項１から５のいずれか１に記載の容器本体。
【請求項７】
前記容器本体の底部に、衝撃を緩和する緩衝手段を備えることを特徴とする請求項１から６のいずれか１に記載の容器本体。
【請求項８】
さらに前記容器本体の上部を支持するスタンド又はスカートを備え、
容器本体は、収縮した状態で底面が空中に位置することを特徴とする請求項１から７のいずれか１に記載の容器本体。
【請求項９】
前記容器本体と前記スタンド又はスカートとが分離可能なことを特徴とする請求項８に記載の容器本体。
【請求項１０】
前記容器本体の底部に錘を備え、
容器本体内の内容物を注出するように容器本体を転倒させると、容器本体に前記錘の重量が加わり、容器本体が収縮することを特徴とする請求項１から９のいずれか１に記載の容器本体。
【請求項１１】
請求項１から１０のいずれか１に記載の容器本体、又はスタンドあるいはスカートを含む容器本体と、
前記容器本体の口部に装着され、容器外部の流体が容器本体内に流入することを防止する逆止弁付き注出口を有するキャップと、
を含むことを特徴とする逆止弁付き容器。
【請求項１２】
前記キャップに代え、請求項１から１０のいずれか１に記載の容器本体、又はスタンドあるいはスカートを含む容器本体に容器外部の流体が流入することを防止する逆止弁付き注出口が一体的に設けられていることを特徴とする逆止弁付き容器。
【発明の詳細な説明】
【技術分野】
【０００１】
本発明は、容器本体内に外部の流体が流入することを防止可能な逆止弁付き容器及びその容器本体に関する。
【背景技術】
【０００２】
醤油のような液体を注出する注出容器として、液体を酸化させることなく収容するセルフシール逆止ノズルを備えるフレキシブル包装袋が開発されている。このセルフ逆止ノズルは、一対のプラスチックフィルムを対面させ、液体を介在させ毛管作用によりプラスチックフィルムを密着させることで外気の侵入を防止する（例えば特許文献１参照）。このようなフレキシブル包装袋は、非自立型であるので、これを卓上等において使用可能とするための保持容器も開発されている（例えば特許文献２参照）。
【０００３】
同様に、液体を収容する内容器内への外気の侵入を防止しつつ、収容する液体を注出可能な逆止弁を備え、内容器及び該内容器を収納する外容器からなる２重容器構造の注出容器も開発されている（例えば特許文献３参照）。プラスチック製のチューブ容器においても、外気の侵入を防止するために注出口に逆止弁を設けたものがある（例えば特許文献４参照）。
【先行技術文献】
【特許文献】
【０００４】
【特許文献１】特開２０１１−１４８５３８号公報
【特許文献２】特開２０１０−１７９９６１号公報
【特許文献３】特開２０１１−２５１６９７号公報
【特許文献４】特開２０１０−１４９９３８号公報
【発明の概要】
【発明が解決しようとする課題】
【０００５】
特許文献１及び３に代表されるように内容物を酸化させることなく収容する注出容器の多くは、注出口（注出ノズル）に逆止弁を設け、外気の侵入を防止する構成を採用している。逆止弁付き容器の場合、逆止弁のシール性が悪いと容器本体内に外気が流入し、内容物が酸化されてしまう。逆止弁のシール性を高めるためには、容器本体の内外の圧力差を大きくすることが効果的である。実際には、容器の外側は、大気圧であることが多いから、シール性を高めるには、容器本体内の圧力をいかに低下させるかがポイントとなるが、従来の逆止弁付き容器においては、容器本体内の圧力を積極的に低下させるような工夫はされていない。
【０００６】
また注出容器において、容器が自立可能か否かは重要である。特許文献１のフレキシブル包装袋を卓上等で醤油差しとして使用するような場合には、別途、特許文献２に記載されるような保持容器が必要となる。特許文献４のチューブ容器の場合、キャップを下側にしないと自立させることができず、さらに内容物が少なくなると自立が難しくなる。特許文献３に記載の注出容器は、自立可能な容器であるが、２重容器構造であり外容器が保持容器として機能している。保持容器を必要としない自立可能な液体注出容器はコストの点で好ましいが現在のところそのような液体注出容器は開発されていない。以上、液体を注出する容器を中心に説明したが、内容物が液体以外の他の流体であっても事情は同じである。
【０００７】
本発明の目的は、従来の容器と比較して容器本体内へ容器外部の流体が流入することをより確実に防止することができる逆止弁付き容器及びその容器本体を提供することである。
【課題を解決するための手段】
【０００８】
本発明は、容器本体の口部に、容器外部の流体が容器本体内に流入することを防止する逆止弁付き注出口を有するキャップを装着し使用する逆止弁付き容器の容器本体であって、容器本体は、容器本体の全部又は一部が弾性変形可能で形状復元性を有し、前記キャップを装着し使用すると、前記形状復元性により容器本体内が強制的に減圧され、逆止弁が動作し容器外部の流体が容器本体内に流入することを防止することを特徴とする容器本体である。
【０００９】
本発明の容器本体は、容器本体の全部又は一部が弾性変形可能で形状復元性を有する。これは自動初原形状復元性を有する容器と表現することもできる。このような容器本体に逆止弁付き注出口を有するキャップを装着し使用すると、容器本体の形状復元性により容器本体内が強制的に減圧されるので、従来の逆止弁付き容器と比較してより確実に外部流体の容器本体への流入を防止することができる。本発明の容器本体は、特定の形状に限定されないので、横断面形状を方形とすれば梱包発送するとき、梱包箱に隙間なく充填することが可能であり梱包、運搬効率を高めることができる。さらにキャップを装着すれば、容器本体を収縮させた状態で運搬することも可能であり、運搬効率をより高めることができる。
【００１０】
本発明において、前記容器本体の収縮具合によらず、装着した前記キャップ及び内容物を含む容器本体の重心を通る鉛直線が容器本体の底面と交差し、前記容器本体が安定的に自立可能なことを特徴とする。
【００１１】
本発明によれば、本発明の容器本体は、収縮具合によらず安定的に自立するため、内容物が少なくなっても自立可能であり使い勝手がよい。
【００１２】
また本発明において、前記容器本体は、反復性及び規則性を有した収縮挙動を示すことを特徴とする。
【００１３】
従来の注出容器又はチューブ容器は、容器本体が反復性及び規則性を有して収縮しないので、使用する度に形態が異なり、結果、自立し難い。さらに規則正しく収縮しないので容器本体内にデッドスペースができ内容物が残留し易い。これに対して、本発明の容器本体は、反復性及び規則性を有した収縮挙動を有するので自立も容易であり、さらにデッドスペースができ難いので内容物が残留し難い。
【００１４】
また本発明の容器本体は、前記容器本体の胴部の全部又は一部が伸縮自在な蛇腹であり、外圧を加えると蛇腹が収縮し、外圧を取り除くと該蛇腹が元の形状に復帰することを特徴とする。
【００１５】
本発明によれば、外圧を加えられ収縮した蛇腹は、外圧を取り除くと元の形状に復帰するので、容器本体内を強制的に減圧することができる。また蛇腹は、反復性を有し、規則正しく収縮するので自立が容易であり、さらに完全に収縮したとき内容物が残留し難い。
【００１６】
また本発明において、前記容器本体が、前記容器本体の形状を決める骨格材と、該骨格材を覆う被覆材とで形成され、前記被覆材又は前記骨格材と被覆材とが弾性変形可能に構成され、前記容器本体に外圧を加えると収縮し、外圧を取り除くと元の形状に復帰することを特徴とする。
【００１７】
本発明によれば、容器本体を、形状を決める骨格材と該骨格材を覆う被覆材とで形成し、容器本体を弾性変形可能に構成してもよいので、種々の形態、形状の容器本体を使用可能であり、逆止弁付き容器の使用先も広がる。
【００１８】
また本発明の容器本体は、前記容器本体の底面に、容器本体口部に嵌り込む凸部を有し、容器本体が完全に収縮したとき容器本体口部に前記凸部が嵌り込み、内容物を全て注出可能なことを特徴とする。
【００１９】
ここで内容物を全て注出可能なことには、容器本体内に内容物が殆ど残留しておらず内容物が完全に注出されたと同一視できる場合も含む。このような容器本体を備える逆止弁付き容器は、液体注出容器などとして好適に使用することができる。
【００２０】
また本発明の容器本体は、前記容器本体の底部に、衝撃を緩和する緩衝手段を備えることを特徴とする。
【００２１】
容器本体の底部に、スポンジ材、クッション材、空気溜めのような緩衝手段を設けることで、容器本体を置いた時の衝撃を緩和し、不意に内容物が飛び出すことを防止することができる。
【００２２】
また本発明の容器本体は、さらに前記容器本体の上部を支持するスタンド又はスカートを備え、容器本体は、収縮した状態で底面が空中に位置することを特徴とする。
【００２３】
スタンド又はスカートを設け、容器本体が収縮した状態で底面が空中に位置するようにすると、スタンド又はスカートにより支持されている容器本体の上部に対して、容器本体自身及び内容物の重量が下向きに加わり、容器本体が引き延ばされる。これにより容器本体内が強制的に減圧される。また容器本体の底面が空中にあれば、容器本体を置いたときに容器本体に衝撃が加わらず、不意に内容物が飛び出すことを防止することができる。
【００２４】
また本発明の容器本体は、前記容器本体と前記スタンド又はスカートとが分離可能なことを特徴とする。
【００２５】
容器本体とスタンド又はスカートとを分離させることで利便性が増す。容器本体をスタンド又はスカートに載置すれば、容器内容物と容器本体の自重とで容器本体が伸び、容器本体内を強制的に減圧状態とすることができるので、逆止弁が容器の注出口を塞ぎ保管時などに外部流体が流入することを防止できる。
【００２６】
また本発明の容器本体は、前記容器本体の底部に錘を備え、容器本体内の内容物を注出するように容器本体を転倒させると、容器本体に前記錘の重量が加わり、容器本体が収縮することを特徴とする。
【００２７】
本発明によれば、内容物を注出するように容器本体を転倒させると、容器本体に錘の重量が加わり容器本体が収縮するので、容器本体を転倒させるだけで内容物を注出させることができる。内容物を注出するとき容器本体を手で押し込む必要がないのでスタンド又はスカートを非可撓性部材で形成させることができる。さらにスタンド又はスカートを設け、容器本体が収縮した状態で底面が空中に位置するようにすると、スタンド又はスカートにより支持されている容器本体の上部に対して、容器本体自身、内容物及び錘の重量が下向きに加わり容器本体が引き延ばされる。この結果、容器本体内が強制的に減圧される。
【００２８】
また本発明は、前記容器本体、又はスタンドあるいはスカートを含む容器本体と、前記容器本体の口部に装着され、容器外部の流体が容器本体内に流入することを防止する逆止弁付き注出口を有するキャップと、を含むことを特徴とする逆止弁付き容器である。
【００２９】
本発明に係る逆止弁付き容器は、容器本体の形状復元性により容器本体内が強制的に減圧されるので、従来の逆止弁付き容器に比較してより確実に外部流体の容器本体への流入を防止することができる。
【００３０】
また本発明は、前記キャップに代え、前記容器本体、又はスタンドあるいはスカートを含む容器本体に、容器外部の流体が流入することを防止する逆止弁付き注出口が一体的に設けられていることを特徴とする逆止弁付き容器である。
【００３１】
本発明の逆止弁付き容器は、逆止弁付き注出口が一体的に設けられた逆止弁付き容器にも適用することができる。
【発明の効果】
【００３２】
本発明の逆止弁付き容器及び該逆止弁付き容器で使用する容器本体は、容器本体の形状復元性により容器本体内が強制的に減圧されるので、従来の逆止弁付き容器に比較してより確実に外部流体の容器本体への流入を防止することができる。このような逆止弁付き容器は、例えば醤油差し等に好適に使用することができる。
【図面の簡単な説明】
【００３３】
【図１】本発明の第１実施形態の逆止弁付き容器１の斜視図である。
【図２】図１の逆止弁付き容器１の容器本体１１の半断面図である。
【図３】図１の逆止弁付き容器１を最大に縮めた状態の正面図である。
【図４】図１の逆止弁付き容器１のキャップ３１の断面図である。
【図５】図１の逆止弁付き容器１の使用状態を示す断面図である。
【図６】本発明の第２実施形態の逆止弁付き容器２の正面図である。
【図７】本発明の第３実施形態の逆止弁付き容器３の半断面図である。
【図８】本発明の第４実施形態の逆止弁付き容器４の半断面図である。
【図９】本発明の第５実施形態の逆止弁付き容器５の正面図である。
【図１０】本発明の第６実施形態の逆止弁付き容器６の斜視図である。
【図１１】本発明の第７実施形態の逆止弁付き容器の容器本体１５の胴部１８の横断面を模式的に示す図であり、（Ａ）は収縮前、（Ｂ）は収縮後である。
【図１２】本発明の第８実施形態の逆止弁付き容器の容器本体１６の胴部１８の横断面を模式的に示す図であり、（Ａ）は収縮前、（Ｂ）は収縮後である。
【図１３】本発明の第９実施形態の逆止弁付き容器７の正面図である。
【発明を実施するための形態】
【００３４】
図１は、本発明の第１実施形態の逆止弁付き容器１の斜視図であり、図２は、逆止弁付き容器１の容器本体１１の半断面図、図３は、逆止弁付き容器１を最大に縮めた状態の正面図である。図４は、逆止弁付き容器１のキャップ３１の断面図であり、図５は、逆止弁付き容器１の使用状態を示す断面図である。
【００３５】
逆止弁付き容器１は、内容物である流体８を収容する容器本体１１と、容器本体１１の口部２７に装着されたキャップ３１とからなる。容器本体１１内に収容可能な流体８は、特定の流体に限定されるものではなく、逆止弁付き容器１は、幅広い流体に使用することができる。流体としては、醤油などのような比較的粘度の低い液体、マヨネーズのような粘性流体、サンプリングガスなどの気体、小麦粉のような粉粒体、スラリー溶液、液体中に固形分が浮遊する懸濁溶液などが例示される。
【００３６】
容器本体１１は、胴部１８全体が蛇腹構造からなり、天井面２１及び底面２３は平であり、容器本体１１は、ペットボトル容器などで見られるような丸味を帯びた肩部を有しておらず、胴部１８を覆う天井面２１の中央部に口部２７が設けられている。口部２７の外壁には、通常の液体注出容器と同様に、キャップ３１が螺合するおねじ２９が設けられている。
【００３７】
キャップ３１は、上部に注出口３５が設けられた円筒部３３と、円筒部３３に開閉可能に取付けられた、注出口３５を塞ぐ蓋部４３とからなる。円筒部３３の内壁には、容器本体１１の口部２７のおねじ２９に螺合するめねじ３４が設けられており、これによりキャップ３１を容器本体１１に着脱することができる。注出口３５には、逆止弁３７が取付けられている。逆止弁３７は、注出口３５の底部に設けられた弁座４１と注出口３５を開閉する弁体３９とからなる。蓋部４３には、蓋部４３を閉めた状態で逆止弁３７が開くことを防止するストッパ４５が設けられている。
【００３８】
上記のように逆止弁付き容器１の基本的構成は、従来の逆止弁付き容器と同一であるが、本実施形態に示す逆止弁付き容器１は、蛇腹構造の胴部１８を有する容器本体１１に特徴がある。胴部１８は、横断形状が円であり、上下方向（軸線方向）に山部１９と谷部２０とが規則正しく配置された蛇腹構造からなる。容器本体１１は、キャップ３１を装着しない状態で、上下方向に圧縮荷重を加えると上下方向に収縮し、圧縮荷重を取り除くと、蛇腹構造がスプリングとして機能し、荷重を加えない当初の状態に素早く復帰する。これは胴部１８の収縮具合によらず発生する。なお本容器本体１１は、胴部１８の径を縮める方向に荷重を加えても容易には変形しない。
【００３９】
上記のように容器本体１１は、弾性変形可能で形状復元性を有する容器であり、自動初原形状復元性を有する容器と表現することもできる。使用後に嵩を小さくすべく塑性変形する蛇腹構造の容器があるが（例えば特開２００３−２９１９７５号公報）、本発明においては、このような形状復元性を有しない蛇腹は含まれない。
【００４０】
胴部１８を構成する蛇腹の山部１９及び谷部２０の高さは特定の高さに限定されるものではない。また蛇腹を形成する山部１９及び谷部２０の数も特定の数に限定されるものではない。天井面２１及び底面２３は、容器本体１１内が減圧となっても変形しない剛性を有することが好ましい。天井面２１及び底面２３を変形しない、又は変形し難くすること、容器本体１１内にデッドスペースができることを防止することができ、さらに容器本体１１を安定的に自立させることができる。
【００４１】
容器本体１１の材質は、スプリングとして機能し形状復元力を与える蛇腹が形成可能で、かつ内容物により腐食されず内容物を所望の状態で収容することができれば、特定のものに限定されるものではなく、例えばポリエチレン樹脂を使用することができる。容器本体１１は、単層構造でも複層構造であってもよい。
【００４２】
以上からなる逆止弁付き容器１に例えば醤油を収容し、逆止弁付き容器１を醤油差しとして使用する場合を例として、逆止弁付き容器１の作用効果を説明する。
【００４３】
容器本体１１内に醤油を収容し、キャップ３１を取付け、容器本体１１を転倒させ、容器本体１１の底面２３を手で押し込むと、逆止弁３７が開き醤油を注出することができる。容器本体１１の底面２３への押し込みを停止すると、容器本体１１は、蛇腹構造のスプリング作用により自然と当初の状態に復帰しようとする。このとき注出口３５は、逆止弁３７により閉止されているので、容器本体１１内が強制的にかつ大きく減圧される。これにより弁体３９が弁座４１に強く押付けられ、結果、逆止弁３７のシール性が高まる。
【００４４】
従来においても、圧縮荷重を加えると収縮し、圧縮荷重を取り除くと当初の状態に復帰する形状復元性を利用した容器として、逆止弁付きプラスチック製チューブ容器などが使用されている。しかしながら従来のプラスチック製チューブ容器などは、容器本体の形状復元力が弱く、また形状復元力を積極的に利用して容器本体を強制的に減圧しようとするものではない。このため本実施形態に示す逆止弁付き容器１ほど大きく容器本体内が減圧されない。このため弁体を弁座に押付ける力が弱く、結果、逆止弁のシール性が弱い。
【００４５】
また逆止弁付き容器１は、収縮具合によらず安定して自立可能な点も特徴の１つである。内容物を一杯に収容した状態において、底面２３を下としてテーブルに置けば、逆止弁付き容器１は、転倒することなく安定して自立する。逆止弁付き容器１は、内容物が注出（排出）されると、内容積が減少し胴部１８が萎む。このとき本逆止弁付き容器１は、容器本体１１の胴部１８が蛇腹構造であるので、胴部１８が上下方向に規則正しく収縮する。これにより収縮具合によらず底面２３を下としてテーブルに置けば、逆止弁付き容器１は、転倒することなく安定して自立する。
【００４６】
本実施形態の逆止弁付き容器１に限らず容器は、容器の重心を通る鉛直線が、容器の底面と交差する状態であれば、安定的に自立することができる。本実施形態の逆止弁付き容器１は、容器本体１１が上下方向に収縮するので、容器本体１１が収縮しても重心を通る鉛直線と容器本体１１の底面２３との位置関係が変化せず収縮具合によらず、安定して自立することができる。
【００４７】
これに対して従来のプラスチック製チューブ容器の場合、一般的に、内容物が減少し容器本体が収縮するとき反復性及び規則性を有した収縮挙動を示さない。このため内容物が多い場合は、キャップを下にすることで自立させることができるが、内容物が少なくなると容器の重心を通る鉛直線が、容器の底面の外側となる場合があり、安定的に自立させることが困難となる。
【００４８】
上記のように本実施形態の逆止弁付き容器１は、自立させるために特開２０１１−２５１６９７号公報に記載されているような２重構造の容器とする必要がないので、安価に製造することが可能であり好ましい。
【００４９】
収縮具合によらず安定的に自立する逆止弁付き容器は、上記実施形態の逆止弁付き容器１のように胴部１８の軸線がまっすぐなものに限定されない。図６は、本発明の第２実施形態の逆止弁付き容器２の正面図である。図１〜図５に示す本発明の第１実施形態の逆止弁付き容器１と同一の構成には同一の符号を付して説明を省略する。逆止弁付き容器２は、逆止弁付き容器１と基本的構成を同じくするが、容器本体１２の胴部１８が正面視において湾曲している。このような逆止弁付き容器２であっても、胴部１８が蛇腹構造となっているので、内容積が減少すると上下方向に規則正しく収縮し、収縮したときも逆止弁付き容器２の重心を通る鉛直線が、容器本体１２の底面２３と交差するので、安定的に自立することができる。
【００５０】
さらに本逆止弁付き容器１は、内容物を完全に注出（排出）することができる点も特徴の１つである。ここで内容物を完全に注出（排出）することができるとは、容器本体１１の口部２７を除き、容器本体１１内に内容物が殆ど残留しておらず内容物を完全に注出（排出）したと同視できる場合も含む。
【００５１】
上記のように本流体注出容器１は、胴部１８が蛇腹構造であるため完全に収縮すると胴部１８の内容積が限りなくゼロに近づく。さらに胴部１８が反復性及び規則性を有した収縮挙動を示すので、収縮するとき又は完全に収縮したとき容器本体１１内にデッドスペースがなく、内容物を完全に注出することができる。
【００５２】
これに対して従来のフィルム素材で形成されたフレキシブル容器、形状復元性を備える容器、プラスチック製チューブ容器等は、反復性及び規則性を有した収縮挙動を示さないので、収縮するとき又は完全に収縮したとき容器本体内にデッドスペースができ易い。例えば、特開平３−１３３７４８号公報では、形状復元性を備える容器において以下のような指摘をしている。内部容器本体の各部位における弾性力は、若干のバラツキがあり、内部容器本体の下底部よりもその中央部の方が収縮し易い。下底は、その底周縁の屈曲部により変形し難いからである。そのため内容物が少なくなるとその中央部の収縮量が大きくなって内面相互が接合し、内部容器本体内を途中で遮断してしまい、下部に溜まった内容物が排出不能となる。
【００５３】
本逆止弁付き容器１において、容器本体１１の口部２７にも内容物が残留しないようにするには、容器本体１１の底面２３に凸部２４を設ければよい。図７は、本発明の第３実施形態の逆止弁付き容器３の半断面図である。図１〜図５に示す本発明の第１実施形態の逆止弁付き容器１と同一の構成には同一の符号を付して説明を省略する。逆止弁付き容器３は、容器本体１３の底面２３の中央部が胴部１８側に突出し凸部２４が形成されている。凸部２４は、口部２７の内径よりも僅かに小さい外径で、口部２７と略同一の高さを有する円柱状であり、容器本体１３が完全に収縮したとき口部２７に嵌り込むように設けられている。これにより容器本体１３が完全に収縮したとき口部２７全体を塞ぎ、口部２７にも内容物が残留しない。
【００５４】
本逆止弁付き容器１、２、３の場合、容器本体１１が収縮するとき蛇腹が折り畳まれるので、容器本体１１、１２、１３が完全に収縮しても材料の厚さ分だけ容器本体１１、１２、１３内に内容物が残存する。逆止弁付き容器１、２、３本体の長さが長いほど、残量は多くなる。この部分の内容物も残存させることなく注出（排出）させたい場合には、図７に示す口部２７に嵌り込む凸部２４と同様に、容器本体１１、１２、１３が完全に収縮したとき形成される容器本体１１、１２、１３内のスペースに対応する凸部を設ければよい。
【００５５】
図８は、本発明の第４実施形態の逆止弁付き容器４の半断面図である。この逆止弁付き容器４は、容器本体１４の底面２３に口部２７に嵌り込む凸部２４、及び容器本体１４が完全に収縮したとき形成される容器本体１４内のスペースに対応する凸部２５が設けられている。
【００５６】
図９は、本発明の第５実施形態の逆止弁付き容器５の正面図である。図１〜図５に示す本発明の第１実施形態の逆止弁付き容器１と同一の構成には同一の符号を付して説明を省略する。
【００５７】
逆止弁付き容器５は、逆止弁付き容器１の底面２３に衝撃を緩和するクッション材４７を設けたものである。逆止弁付き容器１は、キャップ３１にストッパ４５が設けられているため蓋部４３が閉じられた状態では、容器本体１１を圧縮するように荷重を加えても逆止弁３７が開き、内容物が飛び出すことはない。しかし蓋部４３が開いた状態、又は蓋部４３の閉じ方が不完全な状態で、容器本体１１内の圧力が容器本体１１外の圧力を上回るように容器本体１１を圧縮すると逆止弁３７が開き、内容物が飛び出す。よって蓋部４３が開いた状態、又は蓋部４３の閉じ方が不完全な状態で、逆止弁付き容器１に衝撃が加わるようにテーブルの上に置くと内容物が飛び出すことがある。
【００５８】
上記問題に対処すべく、逆止弁付き容器５では、底面２３に衝撃を緩和する緩衝手段としてクッション材４７を設け、逆止弁付き容器５をテーブルの上に置くときなどに、逆止弁付き容器５に加わる衝撃を緩和する。緩衝手段は、特定の緩衝手段に限定されるものではなく、クッション材４７、スポンジ材、空気袋などを使用することができ、簡単な構成で安価なものが好ましい。また逆止弁付き容器５をテーブルの上に置いたとき、安定する形態であることが好ましい。
【００５９】
また緩衝手段に錘の機能を付加してもよい。このような緩衝手段は、比重の大きい材料を使用してクッション材４７を作製すればよい。また衝撃吸収能を阻害しないようにクッション材４７の中に錘を埋め込んだり、スポンジ材４７に錘を張り付けてもよい。このような錘としても機能する緩衝手段が底面２３に設けられた逆止弁付き容器５は、注出の際に注出口３５が下向きとなるように逆止弁付き容器５を転倒させると、容器本体１１に緩衝手段の重量が加わるため、容器本体１１を手で押し込まなくても内容物を注出（排出）させることができる。
【００６０】
図１０は、本発明の第６実施形態の逆止弁付き容器６の斜視図である。図１〜図５に示す本発明の第１実施形態の逆止弁付き容器１と同一の構成には同一の符号を付して説明を省略する。
【００６１】
逆止弁付き容器６は、容器本体１１を支持するスカート４９を備え、さらに容器本体１１の底面２３に錘５５が取付けられている点が第１〜第５実施形態の逆止弁付き容器１〜５と異なる。スカート４９は、容器本体１１の外径よりも僅かに大きい内径を有する円筒部５１と、円筒部５１の上端を塞ぐ上蓋５３とからなり、底面は開口している。上蓋５３には、容器本体１１の口部２７が突出する開口部（図示省略）が設けられている。
【００６２】
スカート４９は、容器本体１１に覆い被せるように、スカート４９の上蓋５３の下面と容器本体１１の天井面２１とが接着され、容器本体１１の口部２７は、スカート４９から突出している。スカート４９の高さは、逆止弁付き容器６内に内容物が満杯充填された状態で、錘５５の底面５６がスカート４９の下端５４と同じ高さか又は錘５５の底面５６が空中に位置するように設定されている。スカート４９の材質は特に限定されないが、容器本体１１との接着が良好なものが好ましく、内容物の減り具合、別の表現をすれば容器本体１１を視認できる透明な部材であることが好ましい。
【００６３】
錘５５は、注出（排出）の際に注出口３５が下向きとなるように逆止弁付き容器６を転倒させたとき、容器本体１１が収縮するように容器本体１１の底面２３に重量を加え、容器本体１１を手で押し込まなくても内容物を注出（排出）させることができるようにするものである。このような目的を達することができ、容器本体１１の底面２３にしっかりと接着することができれば特定の錘に限定されるものではない。
【００６４】
逆止弁付き容器６には、スカート４９が設けられているので、内容物が少なくなり容器本体１１が収縮すると、容器本体１１の底面２３を手で押し付けることが難しくなるが、逆止弁付き容器６は、注出（排出）の際に逆止弁付き容器６を転倒させるだけで内容物を注出（排出）することができるので非常に便利である。内容物を注出（排出）するとき容器本体１１に底面２３を手で押し込む必要がないのでスカート４９を非可撓性部材で形成させることができる。
【００６５】
また逆止弁付き容器６は、使用し内容物が減少した状態でテーブルの上に置くと、錘５５の底面５６はテーブルに接触せず、空中に浮いた状態となる。このときスカート４９が支持する容器本体１１の天井面２１には、容器本体１１の重量、内容物及び錘５５の重量に相当する下向きの荷重が加わる。このため容器本体１１の形状復元力と相まって、容器本体１１内は大きく減圧され、逆止弁３７のシール性が増す。
【００６６】
なお、第６実施形態の逆止弁付き容器６では、容器本体１１の底面２３に錘５５が取付けられていたが、錘５５がなくてもよい。錘５５がなくても、スカート４９が支持する容器本体１１の天井面２１には、容器本体１１及び内容物の重量に相当する下向きの荷重が加わるので、スカート４９を備えない逆止弁付き容器１と比較すれば、容器本体１１内は大きく減圧され、逆止弁３７のシール性が増す。また逆止弁付き容器６では、スカート４９が設けられているが、スカート４９に代え、支持棒、スタンドであってもよい。
【００６７】
さらに逆止弁付き容器６では、スカート４９が容器本体１１と一体化されているが、スカート４９と容器本体１１とを分離可能としてもよい。スカート４９と容器本体１１とを分離する場合には、容器本体１１の天井面２１をスカート４９の上端に載置させることができるように天井面２１の直径を胴部１８の直径よりも少し大きくすればよい。
【００６８】
上記逆止弁付き容器１〜６は、容器本体１１内を強制的に減圧し逆止弁３７のシール性を高めること以外に、収縮具合によらず安定的に自立させることができ、さらに内容物を完全に注出することができる非常に好ましい容器である。
【００６９】
しかし使用用途によっては、逆止弁付き容器において、自立安定性、内容物の完全注出性（排出性）が必要ではなく、容器本体１１内を強制的に減圧し逆止弁３７のシール性を高めることができればよいケースもある。このような場合には、例えば、容器本体１１の一部のみを蛇腹構造としてもよい。
【００７０】
また上記実施形態では、弾性変形可能で形状復元性を備える逆止弁付き容器として、胴部１８が蛇腹構造の容器本体１１〜１４を示したが、弾性変形可能で形状復元性を備える容器本体は、蛇腹構造のものに限定されるのではない。また上記実施形態の逆止弁付き容器１〜６では、収縮方向が上下（軸線）方向であるが、収縮方向は、上下方向に限定されるものではなく、横方向（軸線方向に直交する方向）、あるいはランダムな方向に収縮する容器であってもよい。蛇腹構造以外の弾性変形可能で形状復元性を備える容器本体を図１１及び図１２に示す。
【００７１】
図１１は、本発明の第７実施形態の逆止弁付き容器の容器本体１５の胴部１８の横断面を模式的に示す図であり、（Ａ）は収縮前、（Ｂ）は収縮後である。図１〜図５に示す本発明の第１実施形態の逆止弁付き容器１と同一の構成には同一の符号を付して説明を省略する。
【００７２】
図１１に示す逆止弁付き容器の基本構成は、第１実施形態の逆止弁付き容器１と同じであり、逆止弁３７のシール性を高めることができる点に関しては、逆止弁付き容器１と同じである。図１１に示す逆止弁付き容器の容器本体１５は、直方体であり、図１１中（Ａ）で示すように胴部１８の横断面が矩形である。胴部１８は、弾性部材で形成されており、容器本体１５は弾性変形可能で形状復元性を備える。
【００７３】
このような容器本体１５の胴部１８を手で押し込むと、逆止弁３７が開き内容物を注出（排出）することができる。容器本体１５の胴部１８への押し込みを停止すると、容器本体１５は、形状復元力により自然と当初の状態に復帰しようとする。このとき注出口３５が、逆止弁３７により閉止されているので、容器本体１５内が強制的にかつ大きく減圧され、容器本体１５は、図１１中（Ｂ）のように変形する。同時に弁体３９が弁座４１に強く押付けられ、結果、逆止弁３７のシール性が高まる。
【００７４】
上記容器本体１５のように横断面が方形の容器本体は、梱包発送するとき、梱包箱に隙間なく充填することが可能なので梱包、運搬効率を高めることができ好ましい。
【００７５】
図１２は、本発明の第８実施形態の逆止弁付き容器の容器本体１６の胴部１８の横断面を模式的に示す図であり、（Ａ）は収縮前、（Ｂ）は収縮後である。図１〜図５に示す本発明の第１実施形態の逆止弁付き容器１と同一の構成には同一の符号を付して説明を省略する。
【００７６】
図１２に示す逆止弁付き容器の基本構成は、第１実施形態の逆止弁付き容器１と同じであり、逆止弁３７のシール性を高めることができる点に関しては、逆止弁付き容器１と同じである。図１２に示す逆止弁付き容器の容器本体１６は、図１２中（Ａ）で示すように胴部１８の横断面が八角形である。
【００７７】
胴部１８は、形状を決める骨格材６１を被覆材６２で覆うことで形成されている。骨格材６１は、非可撓性の棒状の部材であり、八角形の頂点に位置する。ここでは胴部１８の横断面が八角形であるので、骨格材６１が八角形の頂点に位置するが、胴部１８の横断面形状は八角形に限定されるものではなく、３角以上の多角形であればよく、この場合には、骨格材６１は多角形の頂点に位置する。被覆材６２は、ゴム弾性を有するフィルム状の部材であり、骨格材６１を囲むように設けられている。被覆材６２には、ゴム素材、エラストマーなどを使用することができるが、必ずしも単層である必要はないので、他のフィルムを貼付した複層材であってもよい。
【００７８】
このような容器本体１６の外側を加圧すると、逆止弁３７が開き内容物を注出（排出）することができる。容器本体１６外側への加圧を停止すると、容器本体１６は、形状復元力により自然と当初の状態に復帰しようとする。このとき注出口３５が、逆止弁３７により閉止されているので、容器本体１６内が強制的にかつ大きく減圧され、容器本体１６は、図１２中（Ｂ）のように変形する。同時に弁体３９が弁座４１に強く押付けられ、結果、逆止弁３７のシール性が高まる。
【００７９】
上記のように容器本体の形状は、円筒形状のものに限定されるものではなく、さらに形状復元力を付与する構造も蛇腹構造に限定されないので、幅広い容器、幅広い用途に使用することができる。
【００８０】
以上、複数の実施形態を用いて本発明に係る逆止弁付き容器及び逆止弁付き容器で使用する容器本体を説明したが、本発明に係る逆止弁付き容器及び逆止弁付き容器で使用する容器本体は、上記実施形態に限定されるものではない。
【００８１】
例えば、逆止弁付き容器は、元の形態が円筒であり、収容する内容物を注出（排出）すべく上下方向に圧縮荷重を加えると、タオルを絞るように容器本体の天井面と底面とを互いに反対方向に捩りながら軸方向にも半径方向にも収縮し、圧縮荷重を除くと捩れが解け、元の円筒容器に復帰するような逆止弁付き容器であってもよい。このような逆止弁付き容器の一例を図１３に示す。
【００８２】
図１３は、本発明の第９実施形態の逆止弁付き容器７の正面図である。図１〜図５に示す本発明の第１実施形態の逆止弁付き容器１と同一の構成には同一の符号を付して説明を省略する。
【００８３】
図１３に示す逆止弁付き容器７の基本構成は、第１実施形態の逆止弁付き容器１と同じであり、逆止弁３７のシール性を高めることができる点に関しても、逆止弁付き容器１と同じである。図１３に示す逆止弁付き容器７は、容器本体１７の胴部１８に金属製又は樹脂製の螺旋状のバネ６５が接着されている。
【００８４】
この逆止弁付き容器７に対して、収容する内容物を注出（排出）すべく上下方向に圧縮荷重を加えると、タオルを絞るように容器本体１７の天井面と底面とを互いに反対方向に捩りながら軸方向にも半径方向にも収縮し、圧縮荷重を除くと、容器本体１７は、バネ６５の作用により自然と当初の状態に復帰しようとする。このとき注出口３５が、逆止弁３７により閉止されているので、容器本体１７内が強制的にかつ大きく減圧され、弁体３９が弁座４１に強く押付けられ、結果、逆止弁３７のシール性が高まる。
【００８５】
上記実施形態では、逆止弁として、板状の弁体が開閉する逆止弁を示したが、逆止弁は、ボール状の弁体を使用する逆止弁であってもよく、さらに他の構造の逆止弁であってもよい。
【００８６】
また上記実施形態では、逆止弁がキャップに設けられ、逆止弁を備えるキャップを容器本体の口部に装着し使用するタイプの逆止弁付き容器を示したが、本発明の逆止弁付き容器は、逆止弁付き注出口が容器本体に一体的に設けられた逆止弁付き容器にも適用することができる。
【００８７】
また本発明に係る逆止弁付き容器及び逆止弁付き容器で使用する容器本体は、収容する内容物によっては、熱安定性、紫外線による劣化防止、帯電防止、ガスバリアー性等が要求される。このような場合には、適宜、要求される仕様に適した材料を使用して弾性変形可能で形状復元力を有するように容器本体を形成すればよい。
【符号の説明】
【００８８】
１  液体注出容器
２  液体注出容器
３  液体注出容器
４  液体注出容器
５  液体注出容器
６  液体注出容器
７  液体注出容器
８  流体
１１  容器本体
１２  容器本体
１３  容器本体
１４  容器本体
１５  容器本体
１６  容器本体
１７  容器本体
１８  胴部
１９  山部
２０  谷部
２１  天井面
２３  底面
２４  凸部
２５  凸部
２７  口部
２９  おねじ
３１  キャップ
３３  円筒部
３４  めねじ
３５  注出口
３７  逆止弁
３９  弁体
４１  弁座
４３  蓋部
４５  ストッパ
４７  クッション材
４９  スカート
５１  円筒部
５３  上蓋
５４  スカートの下端
５５  錘
５６  錘の底面
６１  骨格材
６２  被覆材
６５  バネ
【図１】
2013227059.tif 000003
【図２】
2013227059.tif 000004
【図３】
2013227059.tif 000005
【図４】
2013227059.tif 000006
【図５】
2013227059.tif 000007
【図６】
2013227059.tif 000008
【図７】
2013227059.tif 000009
【図８】
2013227059.tif 000010
【図９】
2013227059.tif 000011
【図１０】
2013227059.tif 000012
【図１１】
2013227059.tif 000013
【図１２】
2013227059.tif 000014
【図１３】
2013227059.tif 000015